(57)【要約】【課題】現像スリーブと感光体ドラムとの間にある、トナーの移動量を調整するシートが振動して振れることで、現像ＡＣバイアスと共鳴することにより発生していた現像ＡＣ音を低減し、また、現像ＡＣバイアスが帯電バイアスに影響を及ぼすことにより発生する、帯電ムラを低減する。【解決手段】出力と停止を繰り返す現像ＡＣバイアスの出力開始タイミングを各画像形成ステーションでずらす構成とする。【選択図】        図１
2007052110.tif 000002
【特許請求の範囲】
【請求項１】
現像スリーブを有し、前記現像スリーブに直流バイアス電圧と、電位が交互に変化される部分と電位が変化せずに一定に維持される部分とが交代に生じる交流バイアス電圧を重畳させた現像バイアス電圧を該現像スリーブに印加する現像バイアス電源を有する複数の画像形成ステーションを備えた画像形成装置において、前記交流バイアスの出力開始タイミングが、前記画像形成ステーション毎で異なることを特徴とする画像形成装置。
【請求項２】
前記交流バイアス電圧の出力開始タイミングを制御するタイミング制御手段を、前記複数の画像形成ステーション毎で有することを特徴とする請求項１に記載の画像形成装置。
【請求項３】
前記タイミング制御手段は、任意に出力開始タイミングを生成することが出来ることを特徴とする請求項１または請求項２に記載の画像形成装置。
【請求項４】
前記交流バイアスの電位が交互に変化される部分の期間と、電位が変化せずに一定に維持される部分の期間は、任意に設定出来ることが出来ることを特徴とする請求項１に記載の画像形成装置。
【発明の詳細な説明】
【技術分野】
【０００１】
本発明は、電子写真方式や静電記録方式等によって像担持体上に形成された静電潜像を現像して画像を得る、複写機、プリンタ、ファクシミリ等とされる画像形成装置に関する。
【背景技術】
【０００２】
電子写真プロセスを用いた従来の画像形成装置の構成と、そこで使用する高圧電源装置の構成を順に説明する。
【０００３】
図１６は従来例を示す画像形成装置である４ドラム系カラー画像形成装置の構成図である。先ず、ピックアップローラ１１１によって繰り出される記録媒体１１０は、レジストセンサ１１２によって先端位置が検出され、搬送ローラ対１１３、１１４および搬送ベルト１０５によって搬送される。スキャナユニット１００ａ〜１００ｄは、前記レジストセンサ１１２の検出タイミングに従い、順次感光体ドラム１０１ａ〜１０１ｄにレーザ光を照射する。この時、感光体ドラム１０１ａ〜１０１ｄは帯電ローラ１０４ａ〜１０４ｄによって帯電されており、前記レーザ光の照射によって静電潜像を形成し、さらに現像器１０２ａ〜１０２ｄおよび現像スリーブ１０３ａ〜１０３ｄによってトナー像を形成する。そして転写ローラ１０６ａ〜１０６ｄによって、搬送ベルト１０５上に搬送された記録媒体１１０にトナー像が転写される。その後、記録媒体１１０は定着器１０７に搬送され、画像が形成された後、出力される。ここで、各符号の英文字ａはシアン、ｂはマゼンタ、ｃはイエロー、ｄはブラックの構成およびユニットを示す。
【０００４】
次に、図１７を用いて図１６の画像形成装置における高圧電源装置の構成を説明する。高圧電源装置は、帯電バイアス３０、現像バイアス３１ａ〜３１ｄ、転写バイアス３２ａ〜３２ｄ、転写逆バイアス３３ａ〜３３ｄの４種類を備えている。帯電バイアス３０は、各ステーションで共通である。帯電バイアス３０は、帯電ローラ１０４ａ〜１０４ｄに印加することで感光体ドラム１０１ａ〜１０１ｄの表面にバックグラウンド電位を形成し、レーザ光の照射により静電潜像が形成可能な状態にする。現像バイアス３１ａ〜３１ｄは、現像スリーブ１０３ａ〜１０３ｄに交流電圧を印加することで、離間した状態にある感光体ドラム１０１ａ〜１０１ｄとの間でトナーを往復運動させ、静電潜像にトナー像を形成する。現像スリーブ１０３ａ〜１０３ｄと感光体ドラム１０１ａ〜１０１ｄとの間にある、画像向上を目的としたトナーの移動量を調整するシート４１ａ〜４１ｄが用意されている。転写バイアス３２ａ〜３２ｄは、転写ローラ１０６ａ〜１０６ｄに印加することで、トナー像を記録媒体１１０に転写する。また、転写逆バイアス３３ａ〜３３ｄは、搬送ベルト１０５のクリーニング動作時、転写ローラ１０６ａ〜１０６ｄに印加することで搬送ベルト１０５上の廃トナーを感光体ドラム１０１ａ〜１０１ｄに戻す。ここで感光体ドラム１０１ａ〜１０１ｄに戻された廃トナーは、クリーニングブレード１１５ａ〜１１５ｄによって掻き落とされ、廃トナー容器１１６ａ〜１１６ｄに収納される。
【０００５】
画像の高質化のために、直流バイアス電圧（現像ＤＣバイアス）と電位が交互に変化される部分と、電位が変化せずに一定に維持される部分とが交代に生じる交流バイアス電圧（出力と停止を繰り返す現像ＡＣバイアス）を重畳させた現像バイアス電圧が用いられている。
【０００６】
上記構成の元、前記現像バイアス電圧３１ａ〜３１ｄが現像スリーブ１０３ａ〜１０３ｄに同時に印加されている。
【特許文献１】特許公開平９−３１１５３９号公報
【発明の開示】
【発明が解決しようとする課題】
【０００７】
しかしながら、上記従来例では以下のような問題点があった。現像スリーブ１０３ａ〜１０３ｄと感光体ドラム１０１ａ〜１０１ｄとの間にある、トナーの移動量を調整するシート４１ａ〜４１ｄが振動して振れることで、現像ＡＣバイアスと共鳴し、音（現像ＡＣ音）が発生していた。
【０００８】
前記現像バイアス３１ａ〜３１ｄが同時に印加された場合、音（現像ＡＣ音）の位相が揃うため現像ＡＣ音が大きくなる。
【０００９】
図１８に現像ＡＣバイアスが帯電バイアスに影響を及ぼしている図を示す。図１８の（１）は、現像ＡＣバイアスを示し、図１８の（２）は、帯電ＤＣバイアスを示し、図１８の（３）は、現像ＡＣバイアスの影響を受けた帯電ＤＣバイアスを示している。図１７に示すように帯電ＤＣバイアスが共通で使用されている構成の場合、帯電ＤＣバイアスは、各画像形成ステーションの出力と停止を繰り返す現像ＡＣバイアスの影響を受けることになる。これは、帯電ローラ１０４ａ〜１０４ｄがアンテナとなり、現像スリーブ１０３ａ〜１０３ｄの現像ＡＣバイアスを拾ってしまうためである。よって、本来図１８の（２）の帯電ＤＣバイアスは、図１８の（３）に示すように、波形の振幅がより大きくなり、帯電ムラ（画像不良）が発生する。
【００１０】
そこで本出願に係る第１の発明の目的は、現像ＡＣ音の低減の実現を目的としている。また、本出願に係る第２の発明の目的は、帯電ムラの低減の実現を目的としている。
【課題を解決するための手段】
【００１１】
上記目的を達成するため、本出願に係る第１の発明は、現像スリーブを有し、前記現像スリーブに直流バイアス電圧と電位が交互に変化される部分と、電位が変化せずに一定に維持される部分とが交代に生じる交流バイアス電圧を重畳させた現像バイアス電圧を該現像スリーブに印加する現像バイアス電源を有し、複数の画像形成ステーションを備えた画像形成装置において、前記交流バイアスの出力を開始するタイミングが、前記画像形成ステーション毎で異なることを特徴とする。
【００１２】
本出願に係る第２の発明は、前記交流バイアス電圧の出力開始タイミングを制御するタイミング制御手段を、前記複数の画像形成ステーション毎で有することを特徴とする。
【００１３】
本出願に係る第３の発明は、前記タイミング制御手段は、任意に出力開始タイミングを生成することが出来ることを特徴とする。
【００１４】
本出願に係る第４の発明は、前記交流バイアスの電位が交互に変化される部分の期間と、電位が変化せずに一定に維持される部分の期間は、任意に設定出来ることが出来ることを特徴とする。
【発明の効果】
【００１５】
以上説明したように、本出願に係る第１〜４の発明によれば、出力と停止を繰り返す現像ＡＣバイアスの出力開始タイミングを各画像形成ステーションでずらすことことにより、各画像形成ステーションの現像ＡＣ音の位相をずらすことが出来る。現像ＡＣ音の位相がずれることから、それぞれの現像ＡＣ音が干渉しあい、現像ＡＣ音を低減することが出来る。
【００１６】
出力と停止を繰り返す現像ＡＣバイアスを構成する基本波の１／２周期単位で出力開始タイミングを各画像形成ステーションでずらすことにより、帯電にのってくる電圧を打ち消しあわせることが出来る。よって、帯電ムラを低減することが出来る。
【発明を実施するための最良の形態】
【００１７】
以下、本発明を図示の実施例に基づいて詳細に説明する。
【実施例１】
【００１８】
以下、本発明の実施例１を図面を参照して詳細に説明する。説明は、出力と停止を繰り返す現像ＡＣバイアスの生成方法、出力と停止を繰り返す現像ＡＣバイアスの出力開始タイミング信号の生成方法、出力タイミングを制御された、出力と停止を繰り返す現像ＡＣバイアスの生成方法、出力と停止を繰り返す現像ＡＣバイアスの１周期以内で各ステーションの現像ＡＣバイアスの出力開始タイミングを調整する方法の説明順で行う。
【００１９】
画像形成装置の全体説明、高圧電源装置の説明の説明は、背景技術で記述した内容と同じである。
【００２０】
実施例１では、出力と停止を繰り返す現像ＡＣバイアスを構成する基本波の１周期以内で各ステーションの現像ＡＣバイアスの出力開始タイミングを調整する。
【００２１】
（出力と停止を繰り返す現像ＡＣバイアスの生成方法）
出力と停止を繰り返す現像ＡＣバイアスの生成方法を図２を用いて行う。図２は、出力と停止を繰り返す現像ＡＣバイアスの生成方法を説明するための波形図である。
【００２２】
出力と停止を繰り返す現像ＡＣバイアスは、図２（ａ）のような数ＫＨｚの基本周波数の矩形波（以下、基本波）に、基本波を周期的に出力、停止とする図２（ｂ）のようなマスクが掛け合わされ生成され、図２（ｃ）のような基本波の周波数とは異なる出力と停止周期の周波数特性を持つものである。本発明での画像形成装置は、画像向上のため現像ＡＣバイアスは出力と停止を繰り返す。
【００２３】
（出力と停止を繰り返す現像ＡＣバイアスの出力開始タイミング信号の生成方法）
次に、第１の実施の形態に係る画像形成装置の出力と停止を繰り返す現像ＡＣバイアスの出力開始タイミング信号の生成方法について図３、及び図４を用いて説明を行う。
【００２４】
図３は、出力と停止を繰り返す現像ＡＣバイアスの出力開始タイミング信号が生成されるまでの流れを示す図である。図３の２００は、出力と停止を繰り返す現像ＡＣバイアスの出力開始タイミングを決めるために用いられる位相調整用カウンタである（以下、カウンタ２００）。図３の２０１ａは、出力と停止を繰り返す現像ＡＣバイアスの出力開始タイミングを決めるために用いられる位相調整用カウント値である（以下、カウント値２０１ａ）。図３の２０２ａは、前記カウンタ２００と前記カウント値２０１ａから出力と停止を繰り返す現像ＡＣバイアスの出力開始タイミング信号を生成するブロックである。
【００２５】
次に図４は、図３で示した各ブロックの信号（及び値）を示した図である。図４の（１）は、予め決められている目標カウント値（本実施例では、２５）まで前記カウンタ２００がカウントアップすると、前記カウンタのカウント値は０に戻り、再度カウントアップしていることを示している。図４の（２）は、図３の２０１ａの値（本実施例では、１０）を示している。図４の（３）は、図３の２０２ａから出力されてくる信号を示している。
【００２６】
出力と停止を繰り返す現像ＡＣバイアスの出力開始タイミング信号が生成されるまでの流れを説明する。前記カウンタ２００は、画像形成装置の電源がＯＮの状態で、カウントスタート信号がＯＮすると前記カウンタ２００は、図４の（１）のようにカウントアップを行う。前記カウントスタート信号がＯＦＦすると、前記カウンタ２００は、カウントを停止する。また、出力と停止を繰り返す現像ＡＣバイアスも停止する。
【００２７】
図３の前記カウント値２０１ａの値が、１０であることから、図４の（３）に示すように、カウンタ２００が１０になっている間２０２ａは、ＨＩＧＨ信号を出力する。このＨＩＧＨ信号が、出力と停止を繰り返す現像ＡＣバイアスの出力開始タイミング信号になる。カウンタ２００のカウント周期は任意である。出力と停止を繰り返す現像ＡＣバイアスの１周期は、カウンタ２００が０から２５までカウントするまでである。前記カウンタ２００が再度１０までカウントすると２０２ａから出力と停止を繰り返す現像ＡＣバイアス出力開始タイミング信号がＨＩＧＨになり、出力と停止を繰り返す現像ＡＣバイアスが出力される。
【００２８】
（出力タイミングを制御された、出力と停止を繰り返す現像ＡＣバイアスの生成方法）
出力タイミングを制御された、出力と停止を繰り返す現像ＡＣバイアスが生成される流れを図５及び図６を用いて説明する。図５は、出力タイミングを制御された、出力と停止を繰り返す現像ＡＣバイアスが生成されるまでの流れを示した図である。図５の２０３ａは、現像ＡＣバイアス生成ブロックを示す。前記２０２ａから出力される信号をトリガにして現像ＡＣバイアスが出力される。図５の２０５ａは、出力パルス数設定ブロックである。ここに設定された数だけ現像ＡＣバイアスが出力される。図５の２０６ａは、停止パルス数設定ブロックである。ここに設定された数だけ前記現像ＡＣバイアスは停止する。図５の２０４ａはマスク信号であり、前記出力パルス数２０５ａと前記停止パルス数２０６ａの数を元に生成される。前記マスク信号２０４ａも２０２ａから出力される信号をトリガにして出力される。図６は、図５に示されたブロックから出力される波形及び信号を示す。図６の（４）は、前記２０２ａから出力される出力と停止を繰り返す現像ＡＣバイアスの出力開始タイミング信号を示す。図６の（５）は、前記現像ＡＣバイアス生成ブロックから出力される波形を示す。図６の（６）は、前記マスク信号生成ブロック２０４ａから出力される信号を示す。図６の（７）は、出力と停止を繰り返す現像ＡＣバイアスの波形を示す。出力タイミングを制御された、出力と停止を繰り返す現像ＡＣバイアスが生成されるまでの流れを説明する。前記２０２ａから出力された信号をトリガにして、現像ＡＣバイアス生成ブロック２０３ａから図６の（５）のように現像ＡＣバイアスが出力される。同様に前記２０２ａから出力された信号をトリガにして、図６の（６）のようにマスク信号生成ブロック２０４ａからマスク信号が生成される。前記出力パルス２０５に３が設定されており、前記停止パルス数２０６に４が設定されている。よって、前記マスク信号は、現像ＡＣバイアスの基本波３パルス分ＨＩＧＨ信号であり、同様に基本波４パルス分ＬＯＷ信号である。前記マスク信号は、上記動作を繰り返す。
【００２９】
前記現像ＡＣバイアス生成ブロック２０３ａから出力されてくる現像ＡＣバイアスと前記マスク信号２０４ａが掛け合わされ、出力と停止を繰り返す現像ＡＣバイアスが生成される。
【００３０】
（出力と停止を繰り返す現像ＡＣバイアスの１周期以内で各ステーションの現像ＡＣバイアスの出力開始タイミングを調整する方法）
出力と停止を繰り返す現像ＡＣバイアスの１周期以内で各ステーションの現像ＡＣバイアスの出力開始タイミングを調整する方法を図１と図７を用いて説明をする。図１は、出力と停止を繰り返す現像ＡＣバイアスを各ステーション間で位相調整する流れを示した図である。図１の２００は、位相調整用カウンタである。２０１ａ〜２０１ｄは各ステーションの位相調整用カウント値である。２０２ａ〜２０２ｄは、各ステーションの出力許可信号生成ブロックである。２０３ａ〜２０３ｄは、各ステーションの現像ＡＣバイアス生成ブロックである。２０４ａ〜２０４ｄは、各ステーションのマスク信号生成ブロックである。２０５ａ〜２０５ｄは、各ステーションの出力パルス数である。２０６ａ〜２０６ｄは、各ステーションの停止パルス数である。
【００３１】
図７は、図１の各ブロックの出力信号及び波形を示した図である。図７の（１）は、前記２０２ａから出力されてくる信号、図７の（２）は、前記２０３ａから出力されてくる信号、図７の（３）は、前記２０４ａから出力されてくる信号、図７の（４）は、前記２０２ｂから出力されてくる信号、図７の（５）は、前記２０３ｂから出力されてくる信号、図７の（６）は、前記２０４ｂから出力されてくる信号、図７の（７）は、前記２０２ｃから出力されてくる信号、図７の（８）は、前記２０３ｃから出力されてくる信号。図７の（９）は、前記２０４ｃから出力されてくる信号、図７の（１０）は、前記２０２ｄから出力されてくる信号、図７の（１１）は、前記２０３ｄから出力されてくる信号。図７の（１２）は、前記２０４ｄから出力されてくる信号である。
【００３２】
出力と停止を繰り返す現像ＡＣバイアスを各ステーション間で位相調整する方法を説明する。各ステーションの位相調整用カウント値である。２０２ａ、２０２ｂ、２０２ｃ、２０２ｄにそれぞれ異なる値を代入する。出力と停止を繰り返す現像ＡＣバイアスの１周期以内で各画像ステーションの出力開始タイミングをずらすためには、２０２ａ〜２０２ｄは、必ずカウンタ２００がカウントする最大値（本実施例では２５）より、小さい値でなければならない。例えば、２０２ａには、１０。２０２ｂには、１４。２０２ｃには、１１。２０２ｄには、２０。前記カウンタ２００が、１０をカウントすると、ａのステーションの出力許可信号が、図７の（１）のようにＨＩＧＨになる。同様に、前記カウンタ２００が、１１をカウントすると、ｃのステーションの出力許可信号が、図７の（７）のようにＨＩＧＨになる。
【００３３】
同様に、前記カウンタ２００が、１４をカウントすると、ｂのステーションの出力許可信号が、図７の（４）のようにＨＩＧＨになる。同様に、前記カウンタ２００が、２０をカウントすると、ｄのステーションの出力許可信号が、図７の（１０）のようにＨＩＧＨになる。この信号をトリガにして、各ステーションの現像ＡＣバイアスが図７の（２）、図７の（５）、図７の（８）、図７の（１１）ように出力される。同様にマスク信号が図７の（３）、図７の（６）、図７の（９）、図７の（１２）ように出力される。
【００３４】
以上のような構成により、出力と停止を繰り返す現像ＡＣバイアスの１周期以内で主対力と停止を繰り返す現像ＡＣバイアスの出力開始タイミングをずらすことが出来る。このような構成にすると、各ステーションの現像ＡＣ音の位相をずらすことが出来る。よって、現像ＡＣ音を低減することが出来る。
【実施例２】
【００３５】
以下、本発明の実施例２を図面を参照して詳細に説明する。出力と停止を繰り返す現像ＡＣバイアスの出力開始タイミング信号の生成方法、出力と停止を繰り返す現像ＡＣバイアスの基本波の１／２周期単位で、各ステーションの現像ＡＣバイアスの出力開始タイミングをずらす方法の説明を行う。
【００３６】
実施例２では、出力と停止を繰り返す現像ＡＣバイアスを構成する基本波の１／２周期単位で各ステーションの基本波の出力開始タイミングをずらす。
【００３７】
出力と停止を繰り返す現像ＡＣバイアスの説明は、実施例１と同様のため説明を省略する。
【００３８】
（出力と停止を繰り返す現像ＡＣバイアスの出力開始タイミング信号の生成方法）
次に、第２の実施の形態に係る画像形成装置の出力と停止を繰り返す現像ＡＣバイアスの出力開始タイミング信号の生成方法について図８、及び図９を用いて説明を行う。
【００３９】
図８は、出力と停止を繰り返す現像ＡＣバイアスの出力開始タイミング信号が生成されるまでの流れを示す図である。図８の３００は、出力と停止を繰り返す現像ＡＣバイアスの出力開始タイミングを決めるために用いられる１／２周期単位位相調整用カウンタである（以下、カウンタ３００）。図８の３０１ａは、出力と停止を繰り返す現像ＡＣバイアスの出力開始タイミングを決めるために用いられる１／２周期単位位相調整用カウント値である（以下、カウント値３０１ａ）。図８の３０２ａは、前記カウンタ３００と前記カウント値３０１ａから出力と停止を繰り返す現像ＡＣバイアスの出力開始タイミング信号を生成するブロックである。
【００４０】
次に図９は、図８で示した各ブロックの信号（及び値）を示した図である。図９の（２）は、前記カウンタ３００のカウント値がカウントアップしていく様子を示している。図９の（１）は、現像ＡＣバイアスの基本波の動きを示している。図９の（３）は、図８の３０２ａから出力されてくる信号を示している。
【００４１】
出力と停止を繰り返す現像ＡＣバイアスの出力開始タイミング信号が生成されるまでの流れを説明する。前記カウンタ３００は、画像形成装置の電源がＯＮの状態で、カウントスタート信号がＯＮすると前記カウンタ３００は、図９の（２）のようにカウントアップを行う。前記カウントスタート信号がＯＦＦすると、前記カウンタ３００は、カウントを停止する。また、出力と停止を繰り返す現像ＡＣバイアスも停止する。
【００４２】
前記カウンタ３００は、出力と停止を繰り返す現像ＡＣバイアスの基本波の１／２周期単位でカウントアップを行う。
【００４３】
図９に示すように、カウンタ３００が２になっている間、前記３０２ａは、ＨＩＧＨ信号を出力する。このＨＩＧＨ信号が、出力と停止を繰り返す現像ＡＣバイアスの出力開始タイミング信号になる。
【００４４】
（出力と停止を繰り返す現像ＡＣバイアスの基本波の１／２周期単位で、各ステーションの現像ＡＣバイアスの出力開始タイミングをずらす方法）
出力と停止を繰り返す現像ＡＣバイアスの基本波の１／２周期単位で、各ステーションの現像ＡＣバイアスの出力開始タイミングをずらす方法を図１０と図１１を用いて説明をする。図１０は、出力と停止を繰り返す現像ＡＣバイアスの出力開始タイミングをずらす流れを示した図である。図１０の３００は、１／２周期単位位相調整用カウンタである。３０１ａ〜３０１ｄは各ステーションの１／２周期単位位相調整用カウント値である。３０２ａ〜３０２ｄは、各ステーションの出力許可信号生成ブロックである。２０３ａ〜２０３ｄは、各ステーションの現像ＡＣバイアス生成ブロックである。２０４ａ〜２０４ｄは、各ステーションのマスク信号生成ブロックである。２０５ａ〜２０５ｄは、各ステーションの出力パルス数である。２０６ａ〜２０６ｄは、各ステーションの停止パルス数である。２０３ａ〜２０３ｄ、２０４ａ〜２０４ｄ、２０５ａ〜２０５ｄ、２０６ａ〜２０６ｄは、実施例１と同じである。
【００４５】
図１１は、図１０の各ブロックの出力信号及び波形を示した図である。図１１の（１）は、前記３０２ａから出力されてくる信号、図１１の（２）は、前記２０３ａから出力されてくる信号、図１１の（３）は、前記２０４ａから出力されてくる信号、図１１の（４）は、前記２０３ｂから出力されてくる信号、図１１の（５）は、前記２０３ｂから出力されてくる信号、図１１の（６）は、前記２０４ｂから出力されてくる信号、図１１の（７）は、前記３０２ｃから出力されてくる信号、図１１の（８）は、前記２０３ｃから出力されてくる信号、図１１の（９）は、前記２０４ｃから出力されてくる信号、図１１の（１０）は、前記３０２ｄから出力されてくる信号。図１１の（１１）は、前記２０３ｄから出力されてくる信号、図１１の（１２）は、前記２０４ｄから出力されてくる信号である。
【００４６】
出力と停止を繰り返す現像ＡＣバイアスの基本波の１／２周期単位で、各ステーションの現像ＡＣバイアスの出力開始タイミングをずらす方法を説明する。各ステーションの１／２周期単位位相調整用カウント値である。３０２ａ、３０２ｂ、３０２ｃ、３０２ｄにそれぞれ異なる値を代入する。例えば、３０２ａには、１。３０２ｂには、２。２０２ｃには、４。２０２ｄには、６。前記カウンタ３００が、１をカウントすると、ａのステーションの出力許可信号が、図１１の（１）のようにＨＩＧＨになる。同様に、前記カウンタ３００が、２をカウントすると、ｂのステーションの出力許可信号が、図１１の（７）のようにＨＩＧＨになる。同様に、前記カウンタ３００が、４をカウントすると、ｃのステーションの出力許可信号が、図１１の（４）のようにＨＩＧＨになる。
【００４７】
同様に、前記カウンタ３００が、６をカウントすると、ｄのステーションの出力許可信号が、図１１の（１０）のようにＨＩＧＨになる。この信号をトリガにして、各ステーションの現像ＡＣバイアスが図１１の（２）、図１１の（５）、図１１の（８）、図１１の（１１）のように出力される。同様にマスク信号が図１１の（３）、図１１の（６）、図１１の（９）、図１１の（１２）ように出力される。以上のような構成により、出力と停止を繰り返す現像ＡＣバイアスの基本波の１／２周期単位で、各ステーションの現像ＡＣバイアスの出力開始タイミングをずらすことが出来る。出力と停止を繰り返す現像ＡＣバイアスを構成する基本波の１／２周期単位で基本波の出力開始タイミングを各画像形成ステーションでずらすことにより、帯電にのってくる電圧を打ち消しあうことが出来る。よって、帯電ムラを低減することが出来る。
【実施例３】
【００４８】
以下、本発明の実施例３を図面を参照して詳細に説明する。出力と停止を繰り返す現像ＡＣバイアスの出力開始タイミング信号の生成方法、出力と停止を繰り返す現像ＡＣバイアスの１周期以内で各ステーションの現像ＡＣバイアスの出力開始タイミングをずらした後に、出力と停止を繰り返す現像ＡＣバイアスの基本波の１／２周期単位で、各ステーションの現像ＡＣバイアスの出力開始タイミングをずらす方法の説明を行う。
【００４９】
実施例３では、出力と停止を繰り返す現像ＡＣバイアスの１周期以内で各ステーションの現像ＡＣバイアスの出力開始タイミングをずらした後に、出力と停止を繰り返す現像ＡＣバイアスの基本波の１／２周期単位で、各ステーションの現像ＡＣバイアスの出力開始タイミングをずらす。
【００５０】
（出力と停止を繰り返す現像ＡＣバイアスの出力開始タイミング信号の生成方法）
次に、第３の実施の形態に係る画像形成装置の出力と停止を繰り返す現像ＡＣバイアスの出力開始タイミング信号の生成方法について図１２、及び図１３を用いて説明を行う。
【００５１】
図１２は、出力と停止を繰り返す現像ＡＣバイアスの出力開始タイミング信号が生成されるまでの流れを示す図である。図１２の３００は、出力と停止を繰り返す現像ＡＣバイアスを構成する基本波の１／２周期単位で位相を調整するために用いられる１／２周期単位位相調整用カウンタである（以下、カウンタ３００）。図１２の３０１ａは、出力と停止を繰り返す現像ＡＣバイアスを構成する基本波の１／２周期単位で位相を調整するために用いられる１／２周期単位位相調整用カウント値である（以下、カウント値３０１ａ）。図１２の２００は、出力と停止を繰り返す現像ＡＣバイアスの１周期以内での位相を調整するために用いられる位相調整用カウンタである（以下、カウンタ２００）。図１２の２０１ａは、出力と停止を繰り返す現像ＡＣバイアスの１周期以内での位相を調整するために用いられる位相調整用カウント値である（以下、カウント値２０１ａ）。図１２の４０２ａは、前記カウンタ３００と前記カウント値３０１ａ及び前記カウンタ２００と前記カウント値２０１ａから出力と停止を繰り返す現像ＡＣバイアスの出力開始タイミング信号を生成するブロックである。
【００５２】
次に図１３は、図１２で示した各ブロックの信号（及び値）を示した図である。図１３の（１）は、前記カウンタ２００のカウント値がカウントアップしていく様子を示している。図１３の（２）は、前記カウンタ３００のカウント値がカウントアップしていく様子を示している。図１３の（４）は、図１２の４０２ａの値を示している。
【００５３】
第３の実施例に係る出力と停止を繰り返す現像ＡＣバイアスの出力開始タイミング信号が生成されるまでの流れを説明する。前記カウンタ３００及び前記カウンタ２００は、画像形成装置の電源がＯＮの状態で、カウントスタート信号がＯＮすると前記カウンタ３００及び前記カウンタ２００は、図１３の（１）及び図１３の（２）のようにカウントアップを行う。前記カウントスタート信号がＯＦＦすると、前記カウンタ３００及び前記カウンタ２００は、カウントを停止する。また、出力と停止を繰り返す現像ＡＣバイアスも停止する。
【００５４】
前記カウント値２０１ａの値が、２であること及び前記カウント値３０１ａが９であることから、図１３の（３）に示すように、前記カウンタ２００が２になってなおかつ前記カウンタ３００が９になっている間、前記４０２ａは、ＨＩＧＨ信号を出力する。このＨＩＧＨ信号が、出力と停止を繰り返す現像ＡＣバイアスの出力開始タイミング信号になる。
【００５５】
（出力と停止を繰り返す現像ＡＣバイアスの１周期以内で各ステーションの現像ＡＣバイアスの出力開始タイミングをずらした後に、出力と停止を繰り返す現像ＡＣバイアスの基本波の１／２周期単位で、各ステーションの現像ＡＣバイアスの出力開始タイミングをずらす方法）
出力と停止を繰り返す現像ＡＣバイアスの１周期以内で各ステーションの現像ＡＣバイアスの出力開始タイミングをずらした後に、出力と停止を繰り返す現像ＡＣバイアスの基本波の１／２周期単位で、各ステーションの現像ＡＣバイアスの出力開始タイミングをずらす方法を図１４と図１５を用いて説明をする。図１４は、出力と停止を繰り返す現像ＡＣバイアスの１周期以内で各ステーションの現像ＡＣバイアスの出力開始タイミングをずらした後に、出力と停止を繰り返す現像ＡＣバイアスの基本波の１／２周期単位で、各ステーションの現像ＡＣバイアスの出力開始タイミングをずらす流れを示した図である。
【００５６】
図１４の３００は、１／２周期単位位相調整用カウンタである。図１４の２００は、１周期以内位相調整用カウンタである。３０１ａ〜３０１ｄは各ステーションの１／２周期単位位相調整用カウント値である。２０１ａ〜２０１ｄは各ステーションの１周期以内位相調整用カウント値である。４０２ａ〜４０２ｄは、各ステーションの出力許可信号生成ブロックである。２０３ａ〜２０３ｄは、各ステーションの現像ＡＣバイアス生成ブロックである。２０４ａ〜２０４ｄは、各ステーションのマスク信号生成ブロックである。２０５ａ〜２０５ｄは、各ステーションの出力パルス数である。２０６ａ〜２０６ｄは、各ステーションの停止パルス数である。３００、２００、３０１ａ〜３０１ｄ、２０１ａ〜２０１ｄ、２０３ａ〜２０３ｄ、２０４ａ〜２０４ｄ、２０５ａ〜２０５ｄ、２０６ａ〜２０６ｄは、実施例１または実施例２と同じ構成である。
【００５７】
図１５は、図１４の各ブロックの出力信号及び波形を示した図である。図１５の（１）は、前記４０２ａから出力されてくる信号、図１５の（２）は、前記２０３ａから出力されてくる信号とマスク信号が掛け合わされた信号、図１５の（３）は、前記２０４ａから出力されてくる信号、図１５の（４）は、前記４０２ｂから出力されてくる信号、図１５の（５）は、前記２０３ｂから出力されてくる信号とマスク信号が掛け合わされた信号、図１５の（６）は、前記２０４ｂから出力されてくる信号、図１５の（７）は、前記４０２ｃから出力されてくる信号、図１５の（８）は、前記２０３ｃから出力されてくる信号とマスク信号が掛け合わされた信号、図１５の（９）は、前記２０４ｃから出力されてくる信号。図１５の（１０）は、前記４０２ｅから出力されてくる信号、図１５の（１１）は、前記２０３ｄから出力されてくる信号とマスク信号が掛け合わされた信号、図１５の（１２）は、前記２０４ｄから出力されてくる信号である。
【００５８】
出力と停止を繰り返す現像ＡＣバイアスの基本波の１／２周期単位で、各ステーションの現像ＡＣバイアスの位相を調整した後に、基本波の１周期以内で各ステーションの現像ＡＣバイアスの位相の調整を行う方法を説明する。各ステーションの１／２周期単位位相調整用カウント値である。３０１ａ、３０１ｂ、３０１ｃ、３０１ｄにそれぞれ異なる値を代入する。例えば、３０１ａには、０。３０１ｂには、１０。３０１ｃには、２１。３０１ｄには、２３。次に各ステーションの１周期以内位相調整用カウント値である。２０１ａ、２０１ｂ、２０１ｃ、２０１ｄにそれぞれ異なる値を代入する。例えば、２０１ａには、０。２０１ｂには、３。２０１ｃには、５。２０１ｄには、７。前記カウンタ２００が、０をカウントして前記カウンタ３００が０をカウントすると、ａのステーションの出力許可信号が、図１５の（１）のようにＨＩＧＨになる。
【００５９】
同様に、前記カウンタ２００が、３をカウント前記カウンタ３００が１０をカウントすると、ｃのステーションの出力許可信号が、図１５の（７）のようにＨＩＧＨになる。同様に、前記カウンタ２００が、５をカウント前記カウンタ３００が２１をカウントすると、ｂのステーションの出力許可信号が、図１５の（４）のようにＨＩＧＨになる。同様に、前記カウンタ２００が、７をカウント前記カウンタ３００が２３をカウントすると、ｄのステーションの出力許可信号が、図１５の（１０）のようにＨＩＧＨになる。この信号をトリガにして、各ステーションの出力と停止を繰り返す現像ＡＣバイアスが図１５の（２）、図１５の（５）、図１５の（８）、図１５の（１１）のように出力される。同様にマスク信号が図１５の（３）、図１５の（６）、図１５の（９）、図１５の（１２）ように出力される。
【００６０】
以上のような構成により、力と停止を繰り返す現像ＡＣバイアスの１周期以内で各ステーションの現像ＡＣバイアスの出力開始タイミングをずらした後に、出力と停止を繰り返す現像ＡＣバイアスの基本波の１／２周期単位で、各ステーションの現像ＡＣバイアスの出力開始タイミングをずらすことが出来る。このような構成にすると、各ステーションの現像ＡＣバイアスを任意のタイミングで出力することが出来るので、現像ＡＣ音及び帯電ムラを低減することが出来る。
【図面の簡単な説明】
【００６１】
【図１】出力と停止を繰り返す現像ＡＣバイアスの１周期以内で各ステーションの現像ＡＣバイアスの出力開始タイミングを調整する流れを示した図
【図２】出力と停止を繰り返す現像ＡＣバイアス発生方法を示した図
【図３】実施例１における出力と停止を繰り返す現像ＡＣバイアスの出力開始タイミング信号が生成されるまでの流れを示した図
【図４】図３の各ブロックから出力される信号及び波形
【図５】出力開始タイミングを制御された出力と停止を繰り返す現像バイアス生成方法
【図６】図５の各ブロックから出力される信号及び波形
【図７】図１の各ブロックの出力信号及び波形を示した図
【図８】実施例２における出力と停止を繰り返す現像ＡＣバイアスの出力開始タイミング信号が生成されるまでの流れを示した図
【図９】図８の各ブロックから出力される信号及び波形を示す図
【図１０】出力と停止を繰り返す現像ＡＣバイアスの基本波の１／２周期単位で各ステーションの現像ＡＣバイアスの出力開始タイミングを調整する流れを示した図
【図１１】図１０の各ブロックの出力信号及び波形を示した図
【図１２】実施例３における出力と停止を繰り返す現像ＡＣバイアスの出力開始タイミング信号が生成されるまでの流れを示した図
【図１３】図１２の各ブロックから出力される信号及び波形を示す図
【図１４】出力と停止を繰り返す現像ＡＣバイアスの１周期以内で各ステーションの現像ＡＣバイアスの出力開始タイミングをずらした後に、出力と停止を繰り返す現像ＡＣバイアスの基本波の１／２周期単位で、各ステーションの現像ＡＣバイアスの出力開始タイミングをずらす流れを示した図
【図１５】図１４の各ブロックから出力される信号及び波形を示した図
【図１６】従来例を示す画像形成装置を示す図
【図１７】図１６の画像形成装置における高圧電源装置を示す図
【図１８】現像ＡＣバイアスが現像ＤＣバイアスに影響を及ぼしている図
【符号の説明】
【００６２】
２００  カウンタ
２０１ａ〜２０１ｄ  位相調整用カウント値
２０２ａ〜２０２ｄ  出力許可信号生成ブロック
２０３ａ〜２０３ｄ  現像ＡＣバイアス生成ブロック
２０４ａ〜２０４ｄ  マスク信号生成ブロック
２０５ａ〜２０５ｄ  出力パルス数
２０６ａ〜２０６ｄ  停止パルス数
３００  カウンタ
３０１ａ〜３０１ｄ  １／２周期単位位相調整用カウント値
３０２ａ〜３０２ｄ  出力許可信号生成ブロック
４０２ａ〜４０２ｄ  出力許可信号生成ブロック
【図１】
2007052110.tif 000003
【図２】
2007052110.tif 000004
【図３】
2007052110.tif 000005
【図４】
2007052110.tif 000006
【図５】
2007052110.tif 000007
【図６】
2007052110.tif 000008
【図７】
2007052110.tif 000009
【図８】
2007052110.tif 000010
【図９】
2007052110.tif 000011
【図１０】
2007052110.tif 000012
【図１１】
2007052110.tif 000013
【図１２】
2007052110.tif 000014
【図１３】
2007052110.tif 000015
【図１４】
2007052110.tif 000016
【図１５】
2007052110.tif 000017
【図１６】
2007052110.tif 000018
【図１７】
2007052110.tif 000019
【図１８】
2007052110.tif 000020